(57)【要約】【課題】花粉、ハウスダストあるいは車の排気ガスによる汚染といった異物の進入が極力少ない居住空間領域、つまり花粉症やアトピー性皮膚炎に悩む患者にとって良好な環境の空間を、住宅内の一部分に確保できる住宅の間取り構造を提供すること。【解決手段】第１領域部イと、異物の進入が極力少ない居住空間領域である第２領域部アと、二つの出入口が形成されたシャワー室１とを有し、シャワー室１の何れか一方の出入口は第１領域部イに隣接し他方の出入口は第２領域部アに隣接するように配置され、第２領域部アの出入りは第１領域部イからシャワー室１を通過して行う。【選択図】　図１
2004044352.tif 000002
【特許請求の範囲】
【請求項１】
住宅であって、第１領域部と、第２領域部と、二つの出入口が形成されたシャワー室とを有し、前記シャワー室の何れか一方の出入口は前記第１領域部に隣接し他方の出入口は前記第２領域部に隣接するように配置され、前記第２領域部の出入りは前記第１領域部から前記シャワー室を通過して行うことを特徴とする住宅の間取り構造。
【請求項２】
住宅外の空気を強制的に第１領域部に取り入れる空気取り込み手段と、前記空気取り込み手段の住宅外側に設けられた第２空気浄化手段と、前記第１領域部と前記第２領域部との境界に設けられた空気が通過する第１換気口と、前記第１換気口の前記第１領域部側へ設けられた第１空気浄化手段と、前記第２領域部と住宅の外壁との境界に設けられた空気が通過する第２換気口とを有し、前記空気取り込み手段により住宅外の空気が前記第１領域に流入し、さらに空気は前記第１領域部から前記第１空気浄化手段と前記第１換気口とを通過して前記第２領域部に流入し、さらに前記第２領域部から前記第２換気口を通過して住宅外に流出することを特徴とする請求項第１項記載の住宅の間取り構造。
【請求項３】
住宅外の空気を強制的に第２領域部に取り入れる空気取り込み手段と、前記空気取り込み手段の住宅外側に設けられた空気浄化手段と、前記第１領域部と前記第２領域部との境界に設けられた空気が通過する第１換気口と、前記第２領域部と住宅の外壁との境界に設けられた空気が通過する第２換気口とを有し、前記空気取り込み手段により住宅外の空気が前記第２領域に流入し、さらに空気は前記第２領域部から前記第１換気口と前記第２換気口とを通過して前記第２領域の外部に流出することを特徴とする請求項第１項記載の住宅の間取り構造。
【請求項４】
前記第２領域部に衣類洗浄手段と、衣類乾燥手段とを有し、前記第２領域部で使用する衣類の洗浄および乾燥を前記第２領域部において行うことを特徴とする請求項第１項記載の住宅の間取り構造。
【請求項５】
前記第２領域部にトイレと、キッチン設備と、寝室とを有し、前記第２領域部から出ることなく排便と、湯沸しと、睡眠とを行うことを特徴とする請求項第１項記載の住宅の間取り構造。
【請求項６】
前記シャワー室は浴室となされた請求項第１項記載の住宅の間取り構造。
【発明の詳細な説明】
【０００１】
【発明の属する技術分野】本発明は、住宅の間取り構造に係り、ユニット式住宅、パネル式住宅、軸組み式住宅等の各種住宅に利用できるものである。
【０００２】
【従来の技術】一般に、住宅の間取り設計はユーザーの良好な住み心地性、利便性を得られるように行われ、そのために、家族構成、立地条件等を考慮して各種の間取りが案出されている。
【０００３】
【発明が解決しようとする課題】花粉症やハウスダストに起因するアトピー性皮膚炎症状を示す患者にとっては、外出先から住宅に帰宅した後は、花粉、ハウスダストあるいは車の排気ガスによる汚染の少ない居室や寝室で生活することが望ましい。特に夜間長い時間を過ごす寝室においては、花粉、ハウスダストあるいは車の排気ガスによる汚染が少ないことが望ましい。
【０００４】しかしながら、外出先から帰宅した時には、衣服、髪の毛や皮膚といった身体、携行品や食品といった物に花粉、ハウスダストや車のガスによる汚染が付着している為、住宅内に花粉、ハウスダストや車の排気ガスによる汚染を持ち込むことになる。この結果、住宅の居室は、花粉、ハウスダストあるいは車の排気ガスにより汚染されるといった不都合を生じることとなる。
【０００５】このため、居室の出入口にエアシャワー装置を設けることが考案されているが、この技術をもってしても、花粉、ハウスダストあるいは車の排気ガスによる汚染といったアレルギーを起こす異物を衣類、身体や持ち物から除去することは難しい。これは、異物には水溶性の物や脂溶性の物もあり、水溶性や脂溶性の汚れはエアシャワーで除去することは難しい為である。また水溶性や脂溶性の汚れでなくとも、髪の毛の奥や衣類の細かい繊維の間に入り込んだ花粉、ハウスダストあるいは車の排気ガスによる汚染は、エアシャワーで除去することは難しい。
【０００６】また、通常こうした居室内が花粉、ハウスダストあるいは車の排気ガスによる汚染といった異物、家具や建材から発生したガスや炊事や暖房で発生した二酸化炭素で汚染された場合、居室の汚れた空気を屋外に機械換気装置により排出する。このとき、居室の空気圧は住宅外の空気圧より低下するため、建具や窓の隙間等から花粉、ハウスダストあるいは車の排気ガスにより汚染された住宅外の空気が侵入し居室を汚染する。
【０００７】また、窓を開放しての自然換気も同様に住宅外の空気が侵入し居室を汚染する。そのため居室内の汚染を避けるために、住宅外の空気を機械を用いて住宅内に送り込み、住宅外の空気圧を住宅外の住宅外の空気より高く設定するとともに、空気の取り込み口にハウスダスト等を除去するフィルターを住宅内に配置することが行われている。しかしながら、室内に設置されたフィルターを清掃する為にフィルターを外す時に、捕獲したハウスダスト等の一部が再び居室内を汚染するという不都合が生じていた。
【０００８】また、エアシャワー等の手段で外界と比較してハウスダスト等が比較的少ない居室を確保した場合でも、その空間で使用する衣類や寝具等はエアシャワー等の外側で洗濯や保管がなされたものを持ち込む必要があり、それらの衣類や寝具に付着した水溶性、脂溶性の汚れや、水溶性や脂溶性でなくとも微細なハウスダスト等がエアシャワーで取りきれない為、結果としてハウスダスト等が比較的少ない居室にハウスダストを持ち込むという不都合が生じていた。
【０００９】本発明は、係る実情に鑑みてなされたものであって、花粉、ハウスダストあるいは車の排気ガスによる汚染といった異物の進入が極力少ない居住空間領域、つまり花粉症やアトピー性皮膚炎に悩む患者にとって良好な環境の空間を、住宅内の一部分に確保できる住宅の間取り構造を提供することを目的とする。
【００１０】
【課題を解決するための手段】前記課題を解決するために本発明の住宅は、第１領域部と、第２領域部と、二つの出入口が形成されたシャワー室とを有し、シャワー室の何れか一方の出入口は第１領域部に隣接し他方の出入口は第２領域部に隣接するように配置され、第２領域部の出入りは第１領域部からシャワー室を通過して行う。
【００１１】また前記課題を解決するために本発明の住宅は、住宅外の空気を強制的に第１領域部に取り入れる空気取り込み手段と、空気取り込み手段の住宅外側に設けられた第２空気浄化手段と、第１領域部と第２領域部との境界に設けられた空気が通過する第１換気口と、第１換気口の第１領域部側へ設けられた第２空気浄化手段と、第２領域部と住宅の外壁との境界に設けられた空気が通過する第２換気口とを有し、空気取り込み手段により住宅外の空気が前記第１領域に流入し、さらに空気は第１領域部から第１空気浄化手段と第１換気口とを通過して第２領域部に流入し、さらに第２領域部から第２換気口を通過して住宅外に流出する。
【００１２】また前記課題を解決するために本発明の住宅は、住宅外の空気を強制的に第２領域部に取り入れる空気取り込み手段と、空気取り込み手段の住宅外側に設けられた空気浄化手段と、前記第１領域部と前記第２領域部との境界に設けられた空気が通過する第１換気口と、前記第２領域部と住宅の外壁との境界に設けられた空気が通過する第２換気口とを有し、空気取り込み手段により住宅外の空気が第２領域に流入し、さらに空気は第２領域部から第１換気口と第２換気口とを通過して第２領域の外部に流出する。
【００１３】また、第２領域部に衣類洗浄手段と、衣類乾燥手段とを有し、第２領域部で使用する衣類の洗浄および乾燥を第２領域部において行う。また第２領域部にトイレと、キッチン設備と、寝室とを有し、第２領域部から出ることなく排便と、湯沸しと、冷蔵と、睡眠とを行う。
【００１４】また、シャワー室は浴室としても良い。
【００１５】
【発明の実施の形態】以下に本発明の実施形態を図１を用いて説明する。図１は、本実施形態にかかわる間取り構造になっている住宅の１階および２階の平面図である。
【００１６】図中の斜線部アが第２領域部であり、第２領域部とシャワー室１とを除いた住宅外壁内の残りの部分イが第１領域部である。第２領域部は、花粉、ハウスダスト、車の煤煙を極力少なく管理する領域であり、花粉症やハウスダストに対するアレルギー症状を持つ患者が生活し、睡眠する空間として快適なように維持する。
【００１７】第２領域部への出入りは、第１領域部からシャワー室１の第１出入口１１と第２出入口１２とを通過して行う。衣類を脱衣し、第１領域部からシャワー室１へ入室し身体をシャワーにて洗浄した後、第２領域部の第２洗面室３に入る。第２領域部アから第１領域部イに出る場合は、シャワー室１で必ずしも身体を洗浄する必要は無い。
【００１８】第２領域部アは第２洗面室３、第１トイレ２、第１クローゼット４、第２クローゼット９、第１寝室５、第２寝室６、第１廊下１０、洗濯物を乾燥するための設備を備えた第２衣類乾燥室７で構成され、第１寝室５および第２寝室６へは、第２洗面室３から第１廊下１０を通過して出入りする。第１寝室５と第２寝室６とは、共に居室とすることも可能である。
【００１９】第２洗面室３へは、洗濯機２７とキッチン設備４５が配置されている。第２領域部内で使用する、衣類および寝具は洗濯機２７で洗浄後、第２乾燥室７で乾燥して使用する。これにより、衣類や寝具に付着した外界の花粉、ハウスダスト、車の排気ガスによる汚染を第２領域部アに持ち込むことが無くなる。キッチン設備４５を、洗面台の代用として使用することができ、第２領域内で使用する湯を沸かし、キッチン設備４５に付属した冷蔵庫により急な発熱に備えての氷を保管することができる。
【００２０】なお、第１寝室５および第２寝室６には、窓が設けられているが、この部屋の運用の際に通常開け放たれることはないため、開閉できない明かり取り固定窓とすることも可能である。しかしながら、不測の緊急事態も考慮し、出入り可能な形態にしている。また、こうすることにより花粉症やアレルギーの患者の為に使用する必要がなくなった際にも、二世帯住宅としてこの住宅を供用することも可能になる。
【００２１】第１領域部イの１階部分は、第１洗面室１３、第１衣類乾燥室８、ウオークインクローゼット１４、第１居室１５、玄関土間４６、玄関ホール１６で構成され、１階と２階との連絡は、階段１７を通じて行う。ウオークインクローゼット１４で、衣類を集中して保管し、ウオークインクローゼット１４に隣接する第１の洗面室１３には、洗濯機２８と洗面台２９とが配置されており、さらに第１衣類乾燥室８がウオークインクローゼット１４と隣接している為、効率良く衣類の洗浄、乾燥、保管ができる。
【００２２】また、玄関土間４６から玄関ホール１６を経由して、直接ウオークインクローゼット１４に入ることが出来るため、帰宅後、花粉やハウスダストの付着した衣服をウオークインクローゼット１４で脱衣し、あらかじめウオークインクローゼット１４内に用意された清浄な部屋着に着替えることが出来る。
【００２３】このため、住宅内の各室に花粉やハウスダストを持ち込む量を低減することが出来る。第１居室１５は、玄関ホール１６から直接入室可能な為、衣類の着替えが不可能な外来者が入室しても、家族の通常の生活の場である２階へ、花粉やハウスダストが入り込むことが比較的少ない。
【００２４】第１領域部イの２階部分は、居間３７、和室１８、キッチン２６、第３洗面室３３、第２トイレ３１、吹き抜け３４、床の間２１、仏間２０、押入れ１９、板間２２、勝手口２３とで構成されている。住宅の外壁外に、第１ベランダ３６、第２ベランダ２４、外階段２５、玄関ポーチ３８が配置されている。キッチン２６は２階に配置されている為、第２ベランダ２４と外階段２５を通過して、住宅内を通過することなく食品の搬入やごみ出し等を行うことが出来るため、室内の汚染を低減できる。
【００２５】第１居室１５には、空気取り込み手段３９が配置され、図中Ａ方向に住宅外の空気を第１居室１５内に強制的に機械で取り込む。このため第１居室１５の空気圧は、住宅外の空気圧より高くなる。この為、居室１５に取り込まれた空気は、第１領域部イと第２領域部アとの境界部に設けられた第１換気口４１を図中Ｂ方向へ流れ、第２領域部内を図中Ｃ方向へ流れ、さらに第２領域部と外壁との境界部に設けられた第２換気口４２を図中Ｄ方向へ流れて住宅外へ排出される。
【００２６】この際、空気取り込み手段３９の住宅外側へ空気清浄手段である空気フィルター４４が配置され、第１換気口４１の第１領域部側へ空気清浄手段である空気フィルター４０が配置され、さらに第２換気口４２の住宅外の空気側へ空気清浄手段である空気フィルター４３が配置されている為に、空気フィルター４４、４０、４３を浄化するために脱着しても、花粉、ハウスダスト、車の排気ガスによる汚染等で第２領域を汚染することがない。
【００２７】なお、第１領域と外壁との境界部にも適宜換気口が設けられ（図示せず）、第１領域の空気も住宅外へ流出する。
【００２８】なお、空気取り込み手段３９は、第２領域部アと外壁部との境界に設けても良い。
【００２９】本発明の実施の形態は、一戸建て住宅を示しているが、マンションの一区画である住宅建物であっても良い。
【００３０】
【発明の効果】以上述べたように、請求項第１項および請求項第６項に記載の本発明によると、花粉、ハウスダストあるいは車の排気ガスによる汚染等をシャワー室または浴室で洗い流すので、寝室や居室を清浄に保つことが可能であり、花粉症やアレルギーの患者に快適な空間を提供することができるという効果がある。
【００３１】請求項第２項および請求項第３項の本発明によると、花粉、ハウスダストあるいは車の排気ガスによる汚染等に汚染された住宅外の空気を、浄化して寝室や居室へ取り込み、その後屋外へ排出することができ、また空気を浄化するフィルターを取り外し、清掃する際にフィルターが捕獲した花粉、ハウスダストあるいは車の排気ガスによる汚染等の汚染物の一部で清浄に保つべき寝室や居室が汚染されることが避けられるという効果がある。
【００３２】請求項第４項の本発明によると、衣類や寝具に付着した花粉、ハウスダストあるいは車の排気ガスによる汚染等を、清浄に保つべき寝室や居室に持ち込むことが避けられるという効果がある。
【００３３】請求項第５項の本発明によると、清浄に保つべき寝室や居室から出ること無しに、排便、湯沸し、睡眠が行えるという効果がある。
【図面の簡単な説明】
【図１】本発明の一実施形態にかかわる間取り構造になっている住宅の１階および２階の平面図である。
【符号の説明】
１　シャワー室
７　第２乾燥室
１１　第１出入口
１２　第２出入口
３９　空気取り込み手段
４４　空気フィルター
【図１】
2004044352.tif 000003